【手続補正書】
【提出日】平成16年10月20日(2004.10.20)
【手続補正１】
【補正対象書類名】特許請求の範囲
【補正対象項目名】全文
【補正方法】変更
【補正の内容】
【特許請求の範囲】
【請求項１】
通信ネットワークの中で製品注文及び注文情報を通信するための注文入力・視認システムであって、
通信ネットワークにアクセスでき、前記通信ネットワークを介して製品注文を受け取り該製品注文を伝送するように形成された第１の通信装置と、
通信ネットワークにアクセスでき、前記製品注文を受け取り前記製品注文の少なくとも一部のための出荷ラベルを作成するように形成され、前記製品注文の前記少なくとも一部に関連するインボイスを作成するように更に形成された第２の通信装置と、
前記製品注文に関連する情報を記憶し、前記第１の通信装置のユーザと前記第２の通信装置のユーザとに前記製品注文情報へのアクセスを提供するように形成されているデータベースを備えている通信ネットワークと
を備えたシステム。
【請求項２】
前記第１の通信装置が、前記通信ネットワークデータベースから前記製品注文情報を検索するように更に形成された、請求項１に記載のシステム。
【請求項３】
前記第１の通信装置が、前記通信ネットワークデータベースから前記製品注文情報を受け取るように更に形成された、請求項１に記載のシステム。
【請求項４】
前記第１の通信装置が、前記通信ネットワークデータベースへ前記製品注文を提出するように更に形成された、請求項１に記載のシステム。
【請求項５】
前記第１の通信装置の前記ユーザが、前記第１の通信装置に手動で前記製品注文を入力する、請求項１に記載のシステム。
【請求項６】
前記第１の通信装置が、前記通信ネットワークを介して前記第２の通信装置から注文書認知を要求するように更に形成された、請求項１に記載のシステム。
【請求項７】
前記第１の通信装置が、前記注文書認知への応答として前記製品注文に対する変更を受け取るように更に形成された、請求項６に記載のシステム。
【請求項８】
前記第１の通信装置が、前記通信ネットワークを介して前記製品注文に対する前記変更を前記第２の通信装置に通知するように更に形成された、請求項７に記載のシステム。
【請求項９】
前記第１の通信装置が、前記第２の通信装置に注文書認知を伝送するように更に形成された、請求項１に記載のシステム。
【請求項１０】
前記第１の通信装置が、前記インボイスを受け取り、前記インボイスに対する承認或は異議を応答するように更に形成された、請求項１に記載のシステム。
【請求項１１】
前記第１の通信装置が、前記インボイスが承認されると前記製品注文に対する支払いを開始するように更に形成された、請求項１に記載のシステム。
【請求項１２】
前記第１の通信装置が、既存の注文入力システムから前記通信ネットワークデータベースへ製品注文を電子的に転送するように更に形成された、請求項１に記載のシステム。
【請求項１３】
前記第２の通信装置が、前記出荷ラベルが作成されると前記第１の通信装置へ前記製品注文の状況を伝送するように更に形成された、請求項１に記載のシステム。
【請求項１４】
前記第２の通信装置が、前記第１の通信装置へ前記インボイスを伝送するように更に形成された、請求項１に記載のシステム。
【請求項１５】
前記第２の通信装置が、前記インボイスに関連する争議を処理するように更に形成された、請求項１に記載のシステム。
【請求項１６】
前記第２の通信装置が、前記製品注文の少なくとも一部の履行に対する支払いを受け取るように更に形成された、請求項１に記載のシステム。
【請求項１７】
前記第２の通信装置が、注文書認知を作成し、前記通信ネットワークを介して前記第１の通信装置に前記認知を伝送するように更に形成された、請求項１に記載のシステム。
【請求項１８】
前記第２の通信装置が、電子メール、ファクシミリ、米国郵便サービス、商業運送業者及び電話呼出しのうちの少なくとも１つを介して前記第１の通信装置に前記注文書認知を提供するように更に形成された、請求項１７に記載のシステム。
【請求項１９】
前記第２の通信装置が、前記インボイスに関連する情報を電子インボイス表示システムに提出するように形成された、請求項１に記載のシステム。
【請求項２０】
前記第２の通信装置が、前記インボイスが承認されると前記製品注文の前記少なくとも一部に対する電子的支払い要求を作成するように更に形成された、請求項１に記載のシステム。
【請求項２１】
前記電子的支払い要求が、情報センターによる自動化された要求の形をとる、請求項２０に記載のシステム。
【請求項２２】
前記第２の通信装置が、前記通信ネットワークを介して前記電子的支払い要求を作成する、請求項２０に記載のシステム。
【請求項２３】
前記通信ネットワークデータベースが、前記製品注文の前記少なくとも一部の出荷状況を追跡するように更に形成された、請求項１に記載のシステム。
【請求項２４】
前記出荷状況が、引渡し確認と署名走査とのうちの少なくとも１つを追跡することを含む、請求項２３に記載のシステム。
【請求項２５】
前記通信ネットワークデータベースが、前記第１の通信装置と前記第２の通信装置とのうちの少なくとも１つに前記出荷状況を提供するように更に形成された、請求項２３に記載のシステム。
【請求項２６】
前記通信ネットワークデータベースが、前記第１の通信装置と前記第２の通信装置とのうちの少なくとも１つに製品注文を通信するように更に形成された、請求項１に記載のシステム。
【請求項２７】
少なくとも１つの売り手コンピュータシステムと1つのサプライヤーコンピュータシステムとを含む複数のコンピュータシステムのユーザに注文状況情を提供する中央注文処理装置であって、
前記中央注文処理装置が前記売り手コンピュータシステム通信するのを介在する売り手インターフェースであって、これによって前記中央注文処理装置が前記売り手システムから製品注文を受け取り、前記製品注文に関連する注文状況情報を前記売り手コンピュータシステムに提供することが可能となる前記売り手インターフェースと、
前記製品注文の履行及び製品注文引渡しにおいて使用するために選択された運送業者の出荷ラベルを作成するように形成された出荷ラベルエンジンと、
前記製品注文の引渡しが行われると前記製品注文に関連するインボイスを作成するように形成されたインボイス作成エンジンと、
前記中央注文処理装置がサプライヤーシステムと通信するのを介在するサプライヤーインターフェースであって、これによって前記製品注文と前記出荷ラベルと前記インボイスとへのアクセスを提供する前記サプライヤーインターフェースと、
前記製品注文及び状況情報への検索可能なアクセスを記憶及び提供する注文データベースと
を備えた装置。
【請求項２８】
複数の遠隔システムのユーザに注文状況情報を提供する注文入力及び視認性実現コンピュータであって、
マイクロプロセッサと、
記憶領域と、
前記注文入力及び視認性実現コンピュータと第１の遠隔コンピュータとの間のデータ伝送接続であって、前記第１の遠隔コンピュータと前記記憶領域との間で製品注文及び製品注文状況情報を転送するための  前記データ伝送接続と、
前記注文入力及び視認性実現コンピュータと第２の遠隔コンピュータとの間のデータ伝送接続であって、前記第２の遠隔コンピュータに製品注文情報と前記製品注文に関連する出荷ラベルとを転送するためと、    前記第２の遠隔コンピュータから前記記憶領域に製品注文状況情報と前記製品注文に関連するインボイスとを転送するためとのデータ伝送接続と、
前記製品注文及び製品注文状況情報へのアクセスを記憶及び提供するために前記記憶領域内に画成されたデータベースと
を備えたコンピュータ。
【手続補正２】
【補正対象書類名】明細書
【補正対象項目名】０１００
【補正方法】変更
【補正の内容】
【０１００】
本発明の１つの実施形態によれば、通信ネットワークの中で製品注文を受け取り処理する方法は、通信ネットワークにアクセスできる通信装置を介して買い手から、通信ネットワーク上で実現される注文入力・視認システムからの製品注文を受け取るステップと、製品注文の少なくとも一部を履行するステップと、製品注文を出荷するステップと、注文入力・視認システムを介して製品注文の出荷状況を追跡するステップと、出荷の引渡しが行われる注文入力・視認システムを介して買い手にインボイスを送付するステップとを含む。
本発明の別の１つの実施形態によると、通信ネットワークの中で製品注文を受け取り処理する方法は、通信ネットワークにアクセスできる通信装置を介して買い手から、通信ネットワーク上で実現されている注文入力・視認システムから製品注文を受け取るステップと、製品注文の少なくとも一部を履行するステップと、注文入力・視認システムを介して製品注文の出荷状況を追跡するステップと、出荷の引渡しが行われると製品注文及び視認システムを介して買い手にインボイスを送付するステップとを含む。
本発明の別の１つの実施形態によると、通信ネットワークの中で製品注文を受け取り処理する方法は、通信ネットワークにアクセスできる通信装置を介して買い手から、通信ネットワーク上で実現されている製品注文及び視認システムから製品注文を受け取るステップと、製品注文の少なくとも一部を履行するステップと、製品注文を出荷するステップと、製品注文及び視認システムを介して製品注文の出荷状況を追跡するステップと、注文入力・視認システムを介してベンダー或は買い手に製品注文状況或は出荷状況を提供するステップと、出荷の引渡しが行われると注文入力・視認システムを介して買い手にインボイスを送付するステップとを含む。
この方法の１つの代替実施形態によると、出荷の引渡しが行われると注文入力・視認システムを介して買い手にインボイスを送付することは、製品に関するインボイス情報を電子インボイス表示システムへ提出することを含む。
本発明の別の１つの実施形態によると、通信ネットワークの中で製品注文を受け取り処理する方法は、通信ネットワークにアクセスできる通信装置を介して買い手から、通信ネットワーク上で実現されている注文入力・視認システムから製品注文を受け取るステップと、製品注文の少なくとも一部を履行するステップと、製品注文を出荷するステップと、注文入力・視認システムを介して製品注文の出荷状況を追跡するステップと、注文入力・視認システムを介してベンダーから注文書認知を要求するステップと、注文入力・視認システムを介して注文書認知を作成するステップと、買い手に注文書認知を提供するステップと、出荷の引渡しが行われると注文入力・視認システムを介して買い手にインボイスを送付するステップとを含む。買い手への注文書認知は、電子メール、ファクシミリ、米国郵便サービス、商業運送業者或は電話を介して提供することも可能である。
本発明の別の１つの実施形態によると、通信ネットワークの中で製品注文を受け取り処理する方法は、通信ネットワークにアクセスできる通信装置を介して買い手から、通信ネットワーク上で実現されている注文入力・視認システムから製品注文を受け取るステップと、製品注文の少なくとも一部を履行するステップと、製品注文を出荷するステップと、製品注文及び視認システムを介して製品注文の出荷状況を追跡するステップと、製品注文及び視認システムを介して買い手から注文書認知を要求するステップと、製品注文及び視認システムを介して注文書認知を作成するステップと、買い手へ注文書認知を提供するステップと、注文書認知への応答として注文書における変更を買い手から受け取るステップと、製品注文に対する変更を買い手に通知するステップと、出荷の引渡しが行われると製品注文及び視認システムを介して買い手にインボイスを送付するステップとを含む。
上記の方法の１つの実施形態では、本方法は、買い手がインボイスを承認すると自動支払い或は支払い要求をトリガすることも含む。１つの実施形態では、電子支払い要求が、買い手に関連する銀行への情報センターによる自動化された要求の形をとる。
本発明の別の１つの実施形態によると、通信ネットワークの中での製品注文入力、製品注文視認性実現、製品注文処理のための方法が記載され、この方法は、通信ネットワークにアクセスできる第１の通信装置を介して、通信ネットワーク上で実現されている注文入力・視認システムへ製品注文を提出するステップと、通信ネットワークを介してサプライヤーへ製品注文を通信するステップと、通信ネットワークにアクセスできる第２の通信装置を介して、注文入力・視認システムから製品注文を受け取るステップと、製品注文の少なくとも一部を履行するステップと、注文入力・視認システムへ製品注文履行情報を提供するステップと、注文入力・視認システムを介して製品注文の出荷状況を追跡するステップと、製品注文及び視認システムを介して、製品注文を提出した主体或はサプライヤーに出荷状況を通信するステップと、出荷の引渡しが行われると注文入力・視認システムを介してインボイスを作成するステップとを含む。
【手続補正３】
【補正対象書類名】明細書
【補正対象項目名】０１０１
【補正方法】変更
【補正の内容】
【０１０１】
上記の方法の2つの代替実施形態では、製品注文は、手動で製品注文を入力することにより、又は、既存の注文入力システムから、通信ネットワークにアクセスできる第１の通信装置上で実現されている注文入力・視認システムへ製品注文を電子的に転送することにより、第１の通信装置を介して提出される。
本発明の別の１つの実施形態によると、通信ネットワークの中で製品注文入力、製品注文視認性実現、製品注文処理のための方法が記載され、この方法は、通信ネットワークにアクセスできる第１の通信装置を介して、通信ネットワーク上で実現されている注文入力・視認システムへ製品注文を提出するステップと、通信ネットワークを介してサプライヤーへ製品注文を通信するステップと、通信ネットワークにアクセスできる第２の通信装置を介して、製品注文及び視認システムから製品注文を受け取るステップと、製品注文の少なくとも一部を履行するステップと、製品注文及び視認システムへ製品注文履行情報を提供するステップと、製品注文を出荷するステップと、製品注文及び視認システムを介して製品注文の出荷状況を追跡するステップと、出荷の引渡しが行われると製品注文及び視認システムを介してインボイスを作成するステップと、インボイスが承認されると電子的支払い要求をトリガするステップとを含む。この方法の１つの実施形態では、電子的支払い要求は、製品注文及び視認システムを介して作成される。この方法の１つの代替実施形態では、電子的支払い要求は、製品注文を提出した主体に関連する銀行への情報センターによる自動化要求の形をとることもある。
本発明の別の１つの実施形態によると、通信ネットワークの中での製品注文入力、製品注文視認性実現及び製品注文処理のための方法が記載され、この方法は、通信ネットワークにアクセスできる第１の通信装置を介して、通信ネットワーク上で実現されている製品注文及び視認システムに製品注文を提出するステップと、通信ネットワークを介してサプライヤーに製品注文を通信するステップと、通信ネットワークにアクセスできる第２の通信装置を介して、注文入力・視認システムから製品注文を受け取るステップと、製品注文の少なくとも一部を履行するステップと、注文入力・視認システムへ製品注文履行情報を提供するステップと、製品注文を出荷するステップと、注文入力・視認システムを介して製品注文の出荷状況を追跡するステップと、注文書認知を受け取るステップと、注文書認知への応答として製品注文を変更するステップと、製品注文に対する変更をサプライヤーに通知するステップと、出荷の引渡しが行われると注文入力・視認システムを介してインボイスを作成するステップとを含む。
従って本発明が、注文から支払いまでの全システム１０００を考えており、このシステムは、データ変換機能、注文書認知機能及び注文書変更要求機能と組み合わせられた、顧客システムに組み込まれた注文入力・視認システム機能を含むと共に、これらすべての機能は、電子的インボイス作成及び支払いと組み合わせられ、争議解決に関連していることが分かる。
本発明の多数の変更及びその他の実施形態が、前述の説明及び関連図面に示された教示の利益を受けた本発明に関連する当業者には思い浮かぶであろう。従って本発明は、開示された特定の実施形態に制限されず、変更及びその他の実施形態は、添付の請求の範囲に含まれているものとする。特定の用語が本明細書で採用されたが、それらは一般的かつ説明的な意味でのみ使用され、制限を記載するためのものではない。